(57)【特許請求の範囲】
【請求項１】
躯体構成部材の部材寸法データ（１）及び当該躯体構成部材に対応した配筋データ（２）並びに使用可能な鉄筋の単位長あたりの質量を示す重量データ（３）から躯体の全体又は所定部分に要する鉄筋の加工仕様（４）を導出する鉄筋仕様設定手段（５）を具備して構成され、
前記鉄筋仕様設定手段（５）に、一部材に配設される鉄筋のうち鉄筋のフープが所定のピッチを以て複数重に配設されるフープ部を、所望の重量若しくは所望の巻き数又は本数を上限とするブロックのみを以て構成する様に加工仕様を設定する鉄筋仕様置換手段（６）を具備し、
前記鉄筋仕様置換手段（６）は、
スパイラル状を呈する一連のフープ部を指定巻き数で分割し単位ブロックとする置換処理を行なうべく、一個の躯体構成部材に内包されたフープ部の始点から終点に至るまでを一連で実現した場合の総巻き数に始終端部巻き数を加算し新たに総巻き数とする手段、前記総巻き数から前記指定巻き数を減算する手段、及び減算後の残余巻き数が指定巻き数より多い場合に重ね継ぎ手部巻き数を加算しつつ残余巻き数が指定巻き数よりも少なくなるまで指定巻き数の減算処理を繰り返す手段と、
スパイラル状を呈する一連のフープ部を指定重量で分割し単位ブロックとする置換処理を行なうべく、指定重量を、前記重量データ（３）から算出した一巻きあたりの重量で除算する手段、及びその結果を指定巻き数として、前記一連のフープ部を指定巻き数で分割し単位ブロックとする置換処理を実行する手段と、
ループ状又はスターラップ状のフープ部を指定本数で分割し単位ブロックとする置換処理を行うべく、
躯体構成部材に内包されたフープ部の始点から終点に至るまでに使用する鉄筋の総本数から前記指定本数を減算する手段、及び減算後の残余本数が指定本数より少なくまるまでこの指定本数を減算する置換処理を繰り返す手段と、
ループ状又はスターラップ状のフープ部を指定重量で分割し単位ブロックとする置換処理を行うべく、
指定重量を、前記重量データ（３）から算出した一本あたりの重量で除算する手段、及びその結果を指定本数として、前記ループ状又はスターラップ状のフープ部をその指定本数で分割し単位ブロックとする置換処理を実行する手段を備える鉄筋加工帳作成装置。
【発明の詳細な説明】
【０００１】
【発明の属する技術分野】
本発明は、鉄筋構造物を構築する際に用いられる鉄筋を積算し、当該鉄筋の径、寸法、加工態様等を列挙した鉄筋加工帳を出力する鉄筋加工帳作成装置に関する。
【０００２】
【従来の技術】
鉄筋加工帳作成装置によって出力される鉄筋加工帳は、特に作業現場における配筋作業の前工程である鉄筋の裁断・曲げ加工において用いられるものである。この様な鉄筋加工帳は、予め登録された躯体仕様からそれら鉄筋の寸法データ及び加工データを積算し、その積算結果を躯体構成部材毎或いは特定部分毎にまとめて出力される他、各部材や特定部分に配設される鉄筋は、更に仕様の異なる鉄筋毎に複数の欄に分けて記載され、逆に仕様（寸法データや加工データ）に法則性を持った鉄筋或いは同仕様の鉄筋は単一の欄にまとめて記載することによって欄の無駄遣いを防ぐ様考慮されているものもある。
【０００３】
【発明が解決しようとする課題】
しかしながら、躯体を構成する部材のなかには梁のあばら筋や柱の帯筋等の様に、スパイラル状或いは環状に成形された鉄筋の各フープが所定のピッチを以て複数重に配設されるフープと呼ばれるものが存在し、例えばスパイラル状のフープは、主筋を何周にも取り囲む形となるので、これを一連の鉄筋として加工するとすれば、加工が容易でないばかりか、加工後の運搬・輸送にも手間がかかる。又、例えばスパイラル状以外のループ状（有端、無端を問わない。以下同じ）に成形されたフープでは、個々の重量は嵩張らないものの、同じ成形が施された鉄筋が多数製造される為に、個数管理が煩雑となる他、個数管理を容易にすべくいたずらに複数の鉄筋を束ねて管理すれば、スパイラル状のフープと同様に重量が嵩み運搬・輸送等に支障を来すこととなる。
【０００４】
本発明は、上記実情に鑑みて成されたものであって、求められた躯体の仕様を充足しつつ、必要に応じ加工環境及び運搬・輸送に便宜な配筋が実現できる鉄筋仕様設定手段を具備した鉄筋加工帳作成装置の提供を目的とする。
【０００５】
【課題を解決するための手段】
上記課題を解決するために成された本発明による鉄筋加工帳作成装置は、躯体構成部材の部材寸法データ及び当該躯体構成部材に対応した配筋データ並びに使用可能な鉄筋の単位長あたりの質量を示す重量データから躯体の全体又は所定部分に要する鉄筋の加工仕様を導出する鉄筋仕様設定手段を具備して構成され、一部材に配設される鉄筋のうち鉄筋のフープが所定のピッチを以て複数重に配設されるフープ部を、所望の重量若しくは所望の巻き数又は本数を上限とするブロックのみを以て構成する様に加工仕様を設定する鉄筋仕様置換手段を具備することを特徴とする。
【０００６】
前記躯体構成部材とは、目的とする躯体の全部又は一部を構成する基礎、柱、梁、スラブ等を指し、部材寸法データとは、それら躯体構成部材のうちで更に仕様（当該部材の断面、当該部材の軸方向長、当該部材の連続情報等）の異なる様々な部材を掲載したリスト（データ）である。また、配筋データとは、各部材の内部に配設される主な鉄筋のリスト（データ）である。フープ部とは、スパイラル状、ループ状、スターラップ状などの主筋を取り囲む構造をもつ種々の鉄筋で構成されている鉄筋或いは鉄筋群を指すものとし、ブロックは、所定の巻き数でスパイラル状に成形された一連の鉄筋、又は、所定の数に重なってフープ部を実現し得る複数のループ状の鉄筋の束を指すものとする。
【０００７】
【発明の実施の形態】
以下、本発明による鉄筋加工帳作成装置の実施の形態を図面に基づき説明する。
本発明による鉄筋加工帳作成装置は、図２の如くＣＰＵ７、メモリー８、及び各種記憶媒体を備えた一種のコンピュータシステムであって、前記記憶媒体のうち内部記憶装置９にインストールされたプログラム、或いは外部記憶装置１０に記録されたプログラムを起動することにより種々の装置として機能させることができるパーソナルコンピュータ等と、当該パーソナルコンピュータ等へ各種インターフェース１１を介して接続される入出力装置とから構成された躯体積算関連システムの一部を担い、通常は、図１の如く、通芯、平面図、階名・階高、並びに躯体構成部材リスト及びそれらの各仕様をはじめとする躯体仕様を入力する為の図面編集装置１２や、躯体に用いた鉄筋、コンクリート等の積算を行う為の躯体積算装置１３などと共にハードウエア資源を共有しつつ構築されるものである。
【０００８】
前記躯体仕様は、パーソナルコンピュータ等内に部材寸法データ（躯体構成部材の断面、軸方向長及び連続情報等のデータ）１や配筋データ２或いは重量データ３等という形で保存され、鉄筋加工帳作成装置としての機能たる鉄筋仕様設定手段５を稼働することによって、図３の如く寸法決定、連続情報の検出、角度算出或いは差分座標算出という処理を経て鉄筋加工帳１４が出力される。
【０００９】
寸法決定の処理では、寸法決定手段１５の働きで、前記部材寸法データ１として保存された各部材の断面、軸方向長並びに配筋データ２が参照され、当該躯体構成部材に配設されるべき鉄筋の寸法データ（当該鉄筋の径及び各部の長さを保存するデータ）１６及び加工データ（当該鉄筋の曲がり状態を保存するデータ）１７が形成される。更に、柱、梁、基礎、スラブ等の複数の躯体構成部材が連続している部材については、連続情報形成手段１８の働きで、部材寸法データ１に含まれる各部材の断面、軸方向長及び連続情報、並びに配筋データ２が参照され、それによって当該躯体構成部材に配設されるべき各鉄筋の連続情報が設定される。寸法決定手段１５は、前記連続情報形成手段１８により設定された当該連続情報に則って、連続した複合部材に内包される鉄筋の寸法データ１６及び加工データ１７を形成することとなる。
【００１０】
更に、角度算出手段１９又は差分座標（相連結した一方の鉄筋の終端を始端とする他方の鉄筋の方向性を、当該他方の鉄筋の始端座標と終端座標との差分で示したもの。）算出手段２０の働きによって相連結された鉄筋の屈曲部において形成される角度又は屈曲方向を算出し、複数の躯体構成部材が連続している複合部材に内包された鉄筋の加工データ１７を形成する。尚、連結されること無く単体で部材内に配設される鉄筋については、前記配筋データ２を参照することにより、鉄筋の曲げ角度及び各部の寸法が決まり、連続情報形成手段１８を起動することなく寸法データ１６及び加工データ１７が決まる。そして、鉄筋加工帳作成装置は、上記の如く得られた寸法データ１６と加工データ１７に基づき、躯体の全体又は部分的に要する鉄筋の加工仕様、即ち、鉄筋の名称、径、材質、形状、切寸、本数、（配設）箇所、合計、定尺、割、本数或いは圧接等の項目を表（鉄筋加工帳１４）として出力する。
【００１１】
上記鉄筋仕様設定手段５の基本的な働きに加えて、当該例においては、特に鉄筋のフープ部構造を変更する為の鉄筋仕様置換手段６を具備した構造を採っている。フープ部は、図４乃至図７の如く躯体構成部材の全長に亘って鉄筋が螺旋状又は環状に成形された鉄筋のフープが所定のピッチを以て複数重に配設された部分であり、必要に応じて前記躯体構成部材の全長分に隣接する部材と連結を取り持つ始終端部を加えて寸法データ１６及び加工データ１７が設定されている。
【００１２】
当該フープ部の寸法データ１６及び加工データ１７を得る為には、予め前記部材寸法データ１及び配筋データ２が前記パーソナルコンピュータ等内に保存されている必要がある他、使用可能な鉄筋の単位長あたりの質量を示す重量データ３が保存されている必要がある。前記フープ部を具備した鉄筋を内包する柱や梁などの躯体構成部材の加工仕様を設定する場合には、これらのデータを参照しつつ鉄筋仕様置換手段６を具備した前記鉄筋仕様設定手段５を稼働することによって所望の鉄筋加工帳１４が作成される。
【００１３】
所望の鉄筋加工帳１４を得るべく一連のフープ部を分割する手法としては、躯体構成部材に内包された一連のフープ部を指定巻き数又は本数で分割する手法と、一個の躯体構成部材に内包された一連のフープ部を指定重量で分割する手法とがあり（以下、これらの手法を以て分割した鉄筋を、必要に応じて付加した始終端部２１又は重ね継ぎ手部２２も含めてブロック２３と記す。）、更に、それぞれに対して鉄筋加工帳を出力する前にフープ部を構成する複数のブロック２３の仕様を設定する手法と、一個の躯体構成部材に内包された一連のフープ部の仕様を鉄筋加工帳として出力した後に、当該フープ部を複数に分割したブロック２３の集合として置換する手法とがある。
【００１４】
スパイラル状を呈する一連のフープ部を指定巻き数で分割する置換処理の一例を図４に基づいて説明すると、先ず、一個の躯体構成部材に内包されたフープ部の始点から終点に至るまでを一連で実現した場合の総巻き数に始終端部２１の巻き数（以下、始終端部巻き数と記す。）を加算し新たに総巻き数とする。当該総巻き数から前記指定巻き数を減算し残余巻き数が指定巻き数より多い場合は重ね継ぎ手部２２の巻き数（以下、重ね継ぎ手部巻き数と記す。）を加算して残余巻き数が指定巻き数よりも少なくなるまで指定巻き数の減算処理を繰り返す。
【００１５】
スパイラル状を呈する一連のフープ部を指定重量で分割する置換処理は、指定重量を、前記重量データ３から算出した一巻きあたりの重量で除算し、その結果を指定巻き数として前記一連のフープ部を指定巻き数で分割する処理を実行するものである。巻き数を均等化したい場合には、上記処理を以て分割した後にブロック２３の巻き数の総和をブロック数で除算して得た巻き数を採用すれば良い。
この様にして得た分割結果は、ブロック２３毎に複数の欄に表示しても良いし、同じ巻き数のブロック２３をまとめて必要最小限の欄に表示しても良い。
【００１６】
図１１は上記処理前後の鉄筋加工帳１４の変化を示したものである。この例では、指定巻き数：５、始終端部巻き数：２（各１）、重ね継ぎ手巻き数：１、等分割しない、複数の欄へ出力するという条件で分割が行われたものであるが、
0004545883.tif 000002
という演算が行われ最終残余巻き数：３が６ブロック目の巻き数となる。
【００１７】
ループ状、スターラップ状などのスパイラル状以外のフープ部について指定本数で分割する処理の一例を図５に基づいて説明すると、この処理は、躯体構成部材に内包されたフープ部の始点から終点に至るまでに使用する鉄筋の総本数から前記指定本数を減算し残余本数が指定本数より少なくまるまでこの処理を繰り返すものであり、フープ部を指定重量で分割する処理は、指定重量を、前記重量データ３から算出した一本あたりの重量で除算し、その結果を指定本数として、前記一連のフープ部を指定本数で分割するという処理を実行するものである。
【００１８】
この処理の結果、図１２の如くフープ部の鉄筋仕様が置換される。巻き数を均等化したい場合には、スパイラル状のフープ部に用いた処理と同様に、上記処理を以て分割した後に各ブロック２３の本数の総和をブロック数で除算して得た本数を採用すれば良い。また、この様にして得た分割結果についても、ブロック２３毎に複数の欄に表示しても良いし、同じ巻き数のブロック２３をまとめて必要最小限の欄に表示しても良い。
【００１９】
一方、複数に分割されたスパイラル状のブロック２３を結合して一連のスパイラル状の鉄筋に置換する処理は、図６の如く指定条件に合致する同スパン同寸法（以下、同仕様と記す。）のブロック２３を検出しそれらの巻き数を加算すると共に、一ブロック２３を加算する毎に重ね継ぎ手部２２に当てられた巻き数を減算補正する。そして選択により同じ箇所数で同仕様のブロック２３のみを合算するか、若しくは箇所数とは無関係に同仕様のブロック２３を全て加算する。最後に始終端部２１の巻き数を減算補正する。
【００２０】
図１３及び図１４は上記処理によって結合される鉄筋加工帳１４の例を示したものである。図１３は同じ箇所数のスパイラルを１本にまとめたものであり、図１４は箇所数とは無関係にスパイラルを一本にまとめたものである。
この例では、重ね継ぎ手部巻き数補正値（以下、継ぎ手補正値と記す。）：１、始終端部巻き数補正値（以下、始終端補正値と記す。）：１という条件で結合が行われたものであるが、図１３に示す処理は、
0004545883.tif 000003
という演算が行われ総巻き数が２６のスパイラルとして結合される形で鉄筋加工帳１４の表示が置換される。尚、箇所数に関係なく結合する場合は上記値の箇所数倍となり図１４の如く置換される。
【００２１】
図７の如く複数に分割された前記スパイラル状以外の鉄筋群（以下、ブロック２３と記す。）を合算して新たなブロックに置換する処理は、指定部材や指定工事箇所など指定条件に合致する同仕様のフープ部を構成するブロック２３を検出しそれらの本数を加算する。そして選択により同じ箇所数として合算するか、若しくは箇所数とは無関係に同仕様の鉄筋から成るブロック２３を全て加算し、最後に本数補正を行う。
【００２２】
図１５（同箇所数のブロックの結合）及び図１６（箇所数無関係にブロックを結合）は上記処理によって結合される鉄筋加工帳１４の例を示したものである。
これら例では、本数補正値：０として処理が成されており、
図１５に示す処理では、
合算後の本数＝１ブロック目本数＋２ブロック目本数＋・・・・
・・・＋５ブロック目本数＋６ブロック目本数−本数補正値
＝５＋５＋５＋５＋５＋２
＝２７本となり箇所数は２となる。
図１６に示す処理では、
合算後の本数＝１ブロック目本数×箇所数＋・・・・
・・・＋６ブロック目本数×箇所数−本数補正値
＝５×２＋５×２＋５×２＋５×２＋５×２＋２×２
＝５４本となり箇所数は１となる。
【００２３】
図８は鉄筋加工帳１４を出力する前にフープ部を構成する複数のブロック２３の仕様を設定する際に用いられる作業画面である。画面の上部にはゼネコン名や工事名等の工事識別データを入力する為のボックス２４が表示され、その下には分割設定すべき部材とフープ部の種類を選択する為のサブパネル２５が設けられている。例えば柱のスパイラル状のフープ部についての分割設定を行うサブパネル２５を選択した場合には、図８（イ）の画面が表示され、分割方法、巻き数補正数値、分割結果の出力方法を選択するボックスに所定の数値を入力したり、所定のボタンを選択したりといった操作を行うことができる。
【００２４】
分割方法とは、指定巻き数で分割するか指定重量で分割するかの選択であり、またその巻き数又は重量を表す具体的数値の設定であり、更に、分割して形成されるブロック２３の平均化を行うか否かの選択である。巻き数補正数値の選択とは、前記始終端部２１の巻き数又は重ね継ぎ手部２２の巻き数の具体的数値の設定である。分割結果の出力方法の選択とは、分割結果を鉄筋加工帳１４における単一の欄に出力するか、複数の欄に分けて出力するかの選択である。図８（ロ）は、柱のスパイラル状以外のフープ部についての分割設定を行うサブパネルを選択した場合の操作画面であるが、巻き数補正のボックスが無いことを除けば前記スパイラル状のフープ部についての分割設定用のパネルと相違はない。尚、当該ブロック２３の巻き数は本数という意味である。
【００２５】
図９は、躯体構成部材に内包された一連のフープ部の仕様を、鉄筋加工帳１４を出力した後に、当該フープ部を複数に分割したブロック２３の集合として置換する場合の作業画面である。この画面は、手入力或いは自動積算処理によって作成された鉄筋加工帳１４の表示画面（図示省略）において分割機能選択ボタンを操作することにより表示され、前記鉄筋加工帳１４の出力前に分割する場合と同様の操作を以て行うことができる。但し、スパイラル状以外のフープ部の分割については、分割方法の選択ボックスにおいて、箇所数をそのままにして分割するか、箇所数が１となるように複数の箇所に配設されるフープ部を合算して分割するかの選択が可能となる。
【００２６】
図１０は、出力された鉄筋加工帳１４において複数のブロック２３の集合として分割されている同仕様のフープ部を一連のフープ部に置換する場合の作業画面である。この画面は、手入力或いは自動積算処理によって作成された鉄筋加工帳１４の表示画面（図示省略）において結合機能選択ボタンを操作することにより表示され、結合時における重ね継ぎ手部２２の存在に対する補正値を設定するための補正ボックス２６と結合方法の選択ボックス又は合算方法の選択ボックス２７において結合方法や合算方法を選択することにより所望の結合状態を満足した鉄筋加工帳１４を得ることができる。尚、結合方法及び合算方法とは、同じ箇所数を維持して結合するか、箇所数が１となるように複数の箇所に配設される同仕様のフープ部を結合するかの選択である。
【００２７】
上記分割処理及び結合処理を行うことによって、図１１乃至図１６に示した様に、鉄筋加工帳１４において単一の欄にまとめて出力することもできるし、複数の欄に分割して出力することもできる。
【００２８】
【発明の効果】
以上の如く、本発明による鉄筋加工帳作成装置を使用すれば、一連の鉄筋として加工することによって、加工が困難となり加工後の運搬・輸送にも手間がかかる鉄筋、例えばスパイラル状のフープ部を、加工しやすい様に、また、スパイラル状に限らず他のフープ部にあっても個々の重量は嵩張らないように、更には、個数管理が容易となる様に、複数のブロック毎に分割した鉄筋加工帳を出力することができることとなる。
【図面の簡単な説明】
【図１】本発明による鉄筋加工帳作成装置の躯体積算関連システムにおける位置づけを示すブロック図である。
【図２】本発明による鉄筋加工帳作成装置のハードウエア構成の一例を示す参考図である。
【図３】鉄筋加工仕様設定処理の一例を示すフローチャートである。
【図４】本発明による鉄筋加工帳作成装置による鉄筋仕様置換処理の態様例を示す概略説明図である。
【図５】本発明による鉄筋加工帳作成装置による鉄筋仕様置換処理の態様例を示す概略説明図である。
【図６】本発明による鉄筋加工帳作成装置による鉄筋仕様置換処理の態様例を示す概略説明図である。
【図７】本発明による鉄筋加工帳作成装置による鉄筋仕様置換処理の態様例を示す概略説明図である。
【図８】（イ）（ロ）本発明による鉄筋加工帳作成装置による鉄筋仕様置換処理の作業画面の一例を示す概略説明図である。
【図９】（イ）（ロ）本発明による鉄筋加工帳作成装置による鉄筋仕様置換処理の作業画面の一例を示す概略説明図である。
【図１０】（イ）（ロ）本発明による鉄筋加工帳作成装置による鉄筋仕様置換処理の作業画面の一例を示す概略説明図である。
【図１１】本発明による鉄筋加工帳作成装置の鉄筋仕様置換処理による鉄筋加工帳の変化の一例を示す概略説明図である。
【図１２】本発明による鉄筋加工帳作成装置の鉄筋仕様置換処理による鉄筋加工帳の変化の一例を示す概略説明図である。
【図１３】本発明による鉄筋加工帳作成装置の鉄筋仕様置換処理による鉄筋加工帳の変化の一例を示す概略説明図である。
【図１４】本発明による鉄筋加工帳作成装置の鉄筋仕様置換処理による鉄筋加工帳の変化の一例を示す概略説明図である。
【図１５】本発明による鉄筋加工帳作成装置の鉄筋仕様置換処理による鉄筋加工帳の変化の一例を示す概略説明図である。
【図１６】本発明による鉄筋加工帳作成装置の鉄筋仕様置換処理による鉄筋加工帳の変化の一例を示す概略説明図である。
【符号の説明】
１  部材寸法データ，２  配筋データ，３重量データ，４  加工仕様
５  鉄筋仕様設定手段
６  鉄筋仕様置換手段
【図１】
0004545883.tif 000004
【図２】
0004545883.tif 000005
【図３】
0004545883.tif 000006
【図４】
0004545883.tif 000007
【図５】
0004545883.tif 000008
【図６】
0004545883.tif 000009
【図７】
0004545883.tif 000010
【図８】
0004545883.tif 000011
【図９】
0004545883.tif 000012
【図１０】
0004545883.tif 000013
【図１１】
0004545883.tif 000014
【図１２】
0004545883.tif 000015
【図１３】
0004545883.tif 000016
【図１４】
0004545883.tif 000017
【図１５】
0004545883.tif 000018
【図１６】
0004545883.tif 000019